(57)【特許請求の範囲】
【請求項１】
一端に開口部を有し他端に底部を有する金属製の缶本体と、缶本体の外周面を覆う絶縁被覆と、前記缶本体の前記開口部を塞ぐ金属製の蓋体とからなる缶の内部に、極板群が収納され、前記缶本体の前記底部が正極端子及び負極端子の一方を構成し、前記蓋体が前記正極端子及び負極端子の他方を構成する蓄電セルであって、
第１のリード線接続用端子部材が接続された第１の接続用端子部を備えた第１の端子金具が前記缶本体の前記底部に固定され、
第２のリード線接続用端子部材が接続された第２の接続用端子部を備えた第２の端子金具が前記蓋体に固定され、
前記第１の端子金具及び前記第２の端子金具は、前記第１の接続用端子部及び前記第２の接続用端子部が前記缶本体の前記外周面を覆う絶縁被覆との間に間隔を開けて且つ前記外周面に沿って延びるようにそれぞれ構成されており、
前記第１の端子金具及び第２の端子金具は、それぞれ中央部に貫通孔を有する板状の被固定部を有しており、前記被固定部が前記正極端子または前記負極端子に溶接され、前記貫通孔内に半田が充填されていることを特徴とする蓄電セル。
【請求項２】
前記第１の接続用端子部及び前記第２の接続用端子部は、互いに対向するように配置されている請求項１に記載の蓄電セル。
【請求項３】
前記第１のリード線接続用端子部材の端子構造と前記第２のリード線接続用端子部材の端子構造が異なる請求項１に記載の蓄電セル。
【請求項４】
金属製の缶の一端に正極端子を備え他端に負極端子を備えた蓄電セルであって、
１以上のリード線端子部材が接続された１以上の接続用端子部を備えた端子金具が、前記正極端子及び負極端子にそれぞれ固定されており、
前記端子金具は、前記１以上の接続用端子部が前記缶の外周面を覆う絶縁被覆との間に間隔を開けて且つ前記外周面に沿って延びるように構成されており、
前記端子金具は、中央部に貫通孔を有する板状の被固定部を有しており、前記被固定部が前記正極端子または前記負極端子に溶接され、前記貫通孔内に半田が充填されていることを特徴とする蓄電セル。
【発明の詳細な説明】
【技術分野】
【０００１】
本発明は、蓄電セルに関するものである。
【背景技術】
【０００２】
特開２００５−１６６４９３号公報には、一端に開口部を有し他端に底部を有する金属製の缶本体と、該缶本体の開口部を塞ぐ金属製の凸部を有する蓋体とからなる缶の内部に、極板群が収納されて構成される蓄電セルが示されている。この蓄電セルでは、缶本体の底部が負極端子となり、凸部を有する蓋体が正極端子となっている。この種の蓄電セルでは、負極端子を構成する缶本体の底部及び正極端子を構成する蓋体に外部の板状の被接続端子部材をそれぞれ直接接触させ、それぞれの端子部材をバネ力等で蓄電セル側に押しつける。または、缶本体の底部及び蓋体に外部の板状の被接続端子部材をそれぞれ溶接して、蓄電セルと他の電気機器等との接続を図っている。
【先行技術文献】
【特許文献】
【０００３】
【特許文献１】特開２００５−１６６４９３号公報
【発明の概要】
【発明が解決しようとする課題】
【０００４】
しかしながら、従来の蓄電セルでは、蓄電セルを使用する外部の被接続端子部材が特別な構造を有していなければならず、蓄電セルをもっと簡単な構造で利用したいという要求に応えることができなかった。
【０００５】
本発明の目的は、簡単に利用できる蓄電セルを提供することにある。
【０００６】
本発明の他の目的は、周囲に広いスペースを必要とすることなく、簡単に利用できる蓄電セルを提供することにある。
【課題を解決するための手段】
【０００７】
本発明が改良の対象とする蓄電セルは、金属製の缶の一端に正極端子を備え他端に負極端子を備えている。本発明では、１以上のリード線接続用端子部材が接続された１以上の接続用端子部を備えた端子金具を、正極端子及び負極端子にそれぞれ固定する。このようにすると１以上のリード線接続用端子部材にリード線を接続するだけで、正極端子及び負極端子と、負荷、他の蓄電セル、充電回路等とを簡単に接続することができる。そのため、本発明によれば、蓄電セルを簡単に利用したいという要求に応えることができる。なお１つの端子金具に複数のリード線接続用端子部材を設けても良いのは勿論である。
【０００８】
本発明のより具体的な蓄電セルは、一端に開口部を有し他端に底部を有する金属製の缶本体と、缶本体の外周面を覆う絶縁被覆と、該缶本体の開口部を塞ぐ金属製の蓋体とからなる缶の内部に、極板群が収納されて構成されている。そして、缶本体の底部が正極端子及び負極端子の一方を構成し、蓋体が正極端子及び負極端子の他方を構成している。第１のリード線接続用端子部材が接続された第１の接続用端子部を備えた第１の端子金具を缶本体の底部に固定し、第２のリード線接続用端子部材が接続された第２の接続用端子部を備えた第２の端子金具を蓋体に固定する。第１の端子金具及び第２の端子金具は、第１の接続用端子部及び第２の接続用端子部が缶本体の外周面との間に間隔を開けて且つ外周面に沿って延びるようにそれぞれ構成する。なお第１及び第２のリード線接続用端子部材は、第１及び第２の端子金具を缶本体の底部及び蓋体に固定した後に、第１及び第２の接続用端子部に接続してもよいのは勿論である。
【０００９】
このようにすれば、第１及び第２の接続用端子部が、缶本体の絶縁被覆によって覆われた外周面との間に間隔を開けて且つ外周面に沿って延びるように配置されるので、第１及び第２のリード線接続用端子部材の占有スペースが小さくなる。また接続されるリード線を缶本体に沿って引き回すことができるので、リード線の配置スペースも小さいものとすることができる。したがってこの具体的な蓄電セルは、広い設置スペースを必要とすることなく、簡単に利用できる。
【００１０】
第１の接続用端子部及び第２の接続用端子部は、互いに対向するように配置することができる。このようにすれば、第１及び第２のリード線接続用端子部材を共通の収納スペース内に配置することができるので、さらに広い設置スペースを必要とすることがない。
【００１１】
また第１のリード線接続用端子部材の端子構造と第２のリード線接続用端子部材の端子構造が異なっていると、接続される相手方のリード線の端部に固定された接続用端子部材の端子構造も異なるため、リード線の誤接続を防止できる。
【００１２】
第１の端子金具及び第２の端子金具は、抵抗溶接等により正極端子または負極端子に溶接される板状の被固定部を有している。なお第１の端子金具及び第２の端子金具は、それぞれ中央部に貫通孔を有する板状の被固定部を有するように構成してもよい。この場合、被固定部を正極端子または負極端子に溶接し、貫通孔内に半田を充填すればよい。このようにすれば、半田は、第１及び第２の端子金具の被固定部と蓄電セルの端子との間と、貫通孔の内部に入り込み、半田による接合部分が広くなる。そのため、半田による接合部分の厚み寸法を小さくして、第１の端子金具及び第２の端子金具と蓄電セルの電極との接合を容易且つ確実に行える。
【図面の簡単な説明】
【００１３】
【図１】本発明の一実施の形態の蓄電セルの平面図である。
【図２】図１に示す蓄電セルの正面図である。
【図３】図１に示す蓄電セルの左側面図である。
【図４】図１に示す蓄電セルの右側面図である。
【図５】図１に示す蓄電セルに用いる第１及び第２の接続用端子部の斜視図である。
【発明を実施するための形態】
【００１４】
以下、図面を参照して、本発明の蓄電セルの実施の形態の一例について説明する。図１〜図４は、本発明の一実施の形態の蓄電セルの平面図、正面図、左側面図及び右側面図である。図１に示すように本例の蓄電セルは、セル本体１と第１の端子金具３と第１のリード線接続用端子部材５と第２の端子金具７と第２のリード線接続用端子部材９とを有している。セル本体１は、内部に図示しない極板群が収納された缶１１を有している。缶１１は、一端に開口部を有し他端に底部１３ａを有する金属製の缶本体１３と、該記缶本体１３の開口部を塞ぐ金属製の蓋体１５とから構成されている。なお蓋体１５と缶本体１３との間には、絶縁ゴムパッキンが配置されている。したがって缶本体１３と蓋板１５とは電気的に絶縁されている。また缶本体１３の外周面は、塩化ビニル等の絶縁樹脂フィルムまたは絶縁チューブからなる絶縁被覆１４によって覆われている。図２に示すように、蓋体１５は外部に突出する凸部１５ａを有している。本例では、缶本体１３の底部１３ａが負極端子を構成し、蓋体１５の凸部１５ａが正極端子を構成している。本実施の形態では、缶本体１３の底部１３ａの上及び蓋体１５の突出部１５ａを除いた部分の上に、絶縁材料からなるＵ字状のスペーサ１６ａ及び１６ｂが配置されている。このスペーサ１６ａ及び１６ｂは、管本体１３の底部１３ａ及び蓋体１５の露出部の絶縁のために設けられている。なおこのスペーサ１６ａ及び１６ｂは、必ず必要なものではない。
【００１５】
第１の端子金具３及び第２の端子金具７は、ニッケルまたはニッケル合金製の板材のプレス成型品からなり、いずれも同じ構造を有している。そこで、第１及び第２の端子金具３，７を１つの斜視図（図５）を用いて、その構造を説明する。図５に示すように、第１の端子金具３は、第１の被固定部１７と第１の連結部１９と第１の接続用端子部２１とを一体に有している。第２の端子金具７も第２の被固定部２３と第２の連結部２５と第２の接続用端子部２７とを一体に有している。第１及び第２の被固定部１７，２３は、矩形の部分と半円形の部分とが組み合わされた形状を有しており、中央部には貫通孔１７ａ，２３ａがそれぞれ形成されている。図２及び図４に示すように、第１の被固定部１７は、缶本体１３の底部１３ａ（負極端子）に抵抗溶接されている。また、また図２及び図３に示すように、第２の被固定部２３は、蓋体１５の凸部１５ａ（正極端子）に抵抗溶接されている。本例では、図１及び図２に示すように、第１の接続用端子部２１と第２の接続用端子部２７とが互いに対向する位置関係を有するように、第１及び第２の被固定部１７，２３は、それぞれ負極端子及び正極端子に抵抗溶接されている。そして、第１及び第２の被固定部１７，２３のそれぞれの貫通孔１７ａ，２３ａ内には半田１８，２４が充填されている。図５に示すように、第１及び第２の連結部１９，２５は、矩形に近い形状を有しており、第１及び第２の被固定部１７，２３に対してそれぞれ直角に曲げられている。第１の連結部１９は、第１の被固定部１７と第１の接続用端子部２１とを連結しており、第２の連結部２５は、第２の被固定部２３と第２の接続用端子部２７とを連結している。第１及び第２の接続用端子部２１，２７は、細長い矩形形状を有しており、第１及び第２の連結部１９，２５の端部にそれぞれ接続している。第１及び第２の接続用端子部２１，２７は、缶１１の外周面１１ａとの間に間隔を開けて且つ外周面１１ａに沿って缶１１の長手方向に延びるように配置されている。
【００１６】
図１に示すように、第１のリード線接続用端子部材５は、一般に市販されている雄型ギボシ端子であり、所定の形の帯状の金属板が丸められた形状を有している。第１のリード線接続用端子部材５は、第１の接続用端子部２１にカシメ加工と半田とにより接続されている。そして、第１のリード線接続用端子部材５には、筒状の塩化ビニルのスリーブ２９が被せられている。スリーブ２９は、第１のリード線接続用端子部材５の保護と絶縁を図っている。
【００１７】
第２のリード線接続用端子部材９も、第１のリード線接続用端子部材５と同様に、一般に市販されている雌型ギボシ端子である。第２のリード線接続用端子部材９も第１のリード線接続用端子部材５と同様に、第２の接続用端子部２７にカシメ加工と半田とにより接続されている。そして、第２のリード線接続用端子部材９にも、筒状の塩化ビニルのスリーブ３１が被せられている。
【００１８】
本例では、以下のようにして第１の接続用端子部２１と第１のリード線接続用端子部材５とを接合した。まず、第１のリード線接続用端子部材５の端部５ａの内部に第１の接続用端子部２１を挿入した後、端部５ａをカシメた。次に、端部５ａと第１の接続用端子部２１とを半田付けして第１の接続用端子部２１と第１のリード線接続用端子部材５とを接合した。そして、スリーブ２９を第１のリード線接続用端子部材５に被せた。第２の接続用端子部２７と第２のリード線接続用端子部材９との接合も同様にして行った。
【００１９】
本例の蓄電セルでは、雄型ギボシ端子からなる第１のリード線接続用端子部材５に、端部に雌型ギボシ端子が固定されたリード線の雌型ギボシ端子を嵌合する。また雌型ギボシ端子からなる第２のリード線接続用端子部材９に、端部に雄型ギボシ端子が固定されたリード線の雄型ギボシ端子を嵌合する。このように第１のリード線接続用端子部材５と第２のリード線接続用端子部材９とを異なる端子構造とすると、リード線の誤接続を防止できる。
【００２０】
本例の蓄電セルによれば、第１及び第２の接続用端子部２１及び２７が、缶本体１３の絶縁被覆１４によって覆われた外周面との間に間隔を開けて且つ外周面に沿って延びるように配置されるので、第１及び第２のリード線接続用端子部材３及び７の占有スペースが小さくなる。また接続されるリード線を缶本体１３に沿って引き回すことができるので、リード線の配置スペースも小さいものとすることができる。したがってこの蓄電セルは、広い設置スペースを必要とすることなく、簡単に利用できる。
【００２１】
なお、上記の実施の形態では、第１の接続用端子部２１と第２の接続用端子部２７とが缶１１の外周面１１ａに沿って長手方向に延び、両者は互いに対向するように配置されているが、第１の接続用端子部及び第２の接続用端子部の配置位置は任意である。例えば、第１の接続用端子部を缶の外周面に沿って長手方向に延びるように配置し、第２の接続用端子部を缶から離れる方向（第１の接続用端子部から離れる方向）に延びるように配置してもよい。また、第１の端子金具の第１の接続用端子部と第２の端子金具の第２の接続用端子部とを相互に対向しないように缶の周方向において異なる位置に配置してもよい。また、第１の接続用端子部を缶の外周面に沿って長手方向に延びるように配置し、第２の接続用端子部を缶の外周面に沿って周方向に延びるように配置してもよい。
【００２２】
上記の実施の形態では、第１及び第２の端子金具３及び７の第１及び第２の被固定部１７，２３のそれぞれの貫通孔１７ａ，２３ａ内に半田１８，２４が充填しているが、半田を充填せずに、抵抗溶接だけで第１及び第２の被固定部１７，２３を固定するようにしてもよいのは勿論である。
【００２３】
また、上記の実施の形態では、第１及び第２のリード線接続用端子部材２９及び３１としてギボシ端子を用いたが、ギボシ端子以外の種々の構造の端子部材を第１及び第２のリード線接続用端子部材として用いることができるのは勿論である。
【産業上の利用可能性】
【００２４】
本発明によれば、１以上のリード線接続用端子部材にリード線を接続するだけで、正極端子及び負極端子と、負荷、他の蓄電セル、充電回路等とを簡単に接続することができる。そのため、本発明によれば、蓄電セルを簡単に利用したいという十分に要求に応えることができる。
【符号の説明】
【００２５】
３，７  第１及び第２の端子金具
５，９  第１及び第２のリード線接続用端子部材
１１  缶
１１ａ  外周面
１３  缶本体
１３ａ  底部
１５  蓋体
１７，２３  第１及び第２の被固定部
１７ａ，２３ａ  貫通孔
２１，２７  第１及び第２の接続用端子部
【図１】
0005768577.tif 000002
【図２】
0005768577.tif 000003
【図３】
0005768577.tif 000004
【図４】
0005768577.tif 000005
【図５】
0005768577.tif 000006